(57)【特許請求の範囲】
【請求項１】
インナースリーブとアウタースリーブから構成される湯沸器であって、前記インナースリーブ上部にインナースリーブ内腔に通じる絶縁入水管を接続し、前記インナースリーブに、その外周囲を覆ってインナースリーブの軸方向に対向して移動可能なアウタースリーブを設け、前記インナースリーブとアウタースリーブの端部にそれぞれ異なる加熱電極を接続し、前記インナースリーブとアウタースリーブにそれぞれ出水孔を設けて、入水管がインナースリーブとアウタースリーブの挟層間に給湯回路を形成することを特徴とする湯沸器。
【請求項２】
前記アウタースリーブの上下の端板を入水管に嵌設し、前記入水管の外壁がねじ山によってアウタースリーブの孔の中の雌ねじと接続され、アウタースリーブが正反の回転をする際、入水管に沿って上下移動が可能であることを特徴とする請求項１に記載の湯沸器。
【請求項３】
インナースリーブとアウタースリーブの間に絶縁係止リングを設けることを特徴とする請求項１に記載の湯沸器。
【請求項４】
前記アウタースリーブの外周部にアウタースリーブの回転を可能にするプラスチックスリーブを包装することを特徴とする請求項１に記載の湯沸器。
【請求項５】
前記インナースリーブ、アウタースリーブと入水管との接続箇所にパッキングリングを設けることを特徴とする請求項１に記載の湯沸器。
【請求項６】
前記入水管は外壁にねじ山のある絶縁管であることを特徴とする請求項１に記載の湯沸器。
【発明の詳細な説明】
【技術分野】
【０００１】
本発明は、湯沸器に関し、より詳しくは、電気湯沸器に関する。
【背景技術】
【０００２】
現在、市場上でよく見られる電気湯沸器は一様に電熱線、内装容器、サーモスタット等で構成されている。
【発明の概要】
【発明が解決しようとする課題】
【０００３】
然しながら、前述した従来の構造では、使用する過程で水温を保つために常に一定の時間ごとに事前に通電して加熱する必要があり、このように多くの電気エネルギーが無駄となるだけでなく、加熱時間も長く掛かると共に、使用の安全性にも大きな潜在的弊害が齎され、しかもこうした湯沸器は体積が嵩張り、据付の際に広いスペースが無駄となる。
【０００４】
そこで、本発明者は上記の欠点が改善可能と考え、鋭意検討を重ねた結果、合理的設計で上記の課題を効果的に改善する本発明の提案に到った。
【０００５】
本発明は、このような従来の問題に鑑みてなされたものである。上記課題の解決のため、本発明は、構造が簡単なだけでなく、体積が小さく精巧且つ簡便で、しかも使用に便利で、水温の速やかな調節の実現が可能で、加熱効率が高い湯沸器を提供することを主目的とする。
【課題を解決するための手段】
【０００６】
上記の課題を解決し、目的を達成するために、本発明に係る湯沸器は、インナースリーブとアウタースリーブから構成され、前記インナースリーブ上部にインナースリーブ内腔に通じる絶縁入水管を接続し、前記インナースリーブに、その外周囲を覆ってインナースリーブの軸方向に対向して移動可能なアウタースリーブを設け、前記インナースリーブとアウタースリーブの端部にそれぞれ異なる加熱電極を接続し、前記インナースリーブとアウタースリーブにそれぞれ出水孔を設けて、入水管がインナースリーブとアウタースリーブの挟層間に給湯回路を形成することを特徴とする。
【発明の効果】
【０００７】
本発明によれば、構造が簡単で、合理的で、インナースリーブとアウタースリーブの間の加熱電極のピッチを調節することで電流を調節し、加熱速度が迅速で、便利に水温調節が可能であり、体積が小さく精巧で、加熱速度が速く、熱量ロスが小さく、使用面で安全で便利な湯沸器が得られる。
【図面の簡単な説明】
【０００８】
【図１】本発明の構造の概略図である。
【発明を実施するための形態】
【０００９】
以下に図面を参照して、本発明を実施するための形態について、詳細に説明する。なお、本発明は、以下に説明する実施形態に限定されるものではない。まず、本発明の湯沸器の第１実施形態について説明する。
［第１実施形態］
本発明の実施形態に係る湯沸器は図１のように、インナースリーブ1とアウタースリーブ2から構成され、前記インナースリーブ上部にインナースリーブ内腔に通じる絶縁入水管３を接続し、前記インナースリーブに、その外周囲を覆ってインナースリーブの軸方向に対向して移動可能なアウタースリーブを設け、前記インナースリーブとアウタースリーブの端部にそれぞれ異なる加熱電極４を接続し、前記インナースリーブとアウタースリーブにそれぞれ出水５孔を設けて、入水管がインナースリーブとアウタースリーブの挟層間に給湯回路を形成する。
【００１０】
インナースリーブとアウタースリーブ間の間隙の調整を実現するために、前記アウタースリーブの上下の端板を入水管に嵌設し、前記入水管の外壁がねじ山によってアウタースリーブの孔の中の雌ねじと接続され、アウタースリーブが正反の回転をする際、入水管に沿って上下移動が可能である。
【００１１】
インナースリーブとアウタースリーブとの距離が近過ぎてぶつかることで、アーク放電が生じるのを防止するために、インナースリーブとアウタースリーブの間に絶縁係止リング６を設ける。
【００１２】
操作が便利で、人体が金属のアウタースリーブに直接接触しないようにするために、前記アウタースリーブの外周部にアウタースリーブの回転を可能にするプラスチックスリーブ７を包装する。
【００１３】
また、水道管とインナースリーブ、アウタースリーブの接続箇所の漏水防止のために、前記インナースリーブ、アウタースリーブと入水管の接続箇所にパッキングリングを設ける。
【００１４】
本発明の作動原理は次の通りである。２つの金属スリーブの頂部と底部に同様なねじ孔を開設し、適合するねじ山を切った中空を開けて下端を密封したプラスチック入水管で２つのスリーブを連接して、インナースリーブとアウタースリーブの端部にそれぞれ加熱電極を接続し、送電線を入水管内から貫入し、入水管の中間の小さな孔から突出させて、ネジでインナースリーブの電極上に螺合し、また、中性線は入水管の上端外部に沿ってネジでアウタースリーブの電極上に螺合する。このようにして、インナーとアウターの金属スリーブの間に１つの電極スペース即ち電場が形成される。水は前記電場内で導体でもあり、受熱体でもある。電場は直接水を導電体とし、抵抗線等材料の採用が不要により、多くの原材料の節約となり、機器全体の耐用年数も長くなる。電場は直接水を受熱体とすることから、発生する熱量が直接水に吸收されるので、加熱速度が非常速く、電気エネルギーの変換効率が極めて高い。
【００１５】
インナースリーブは固定されたまま位置は不動であり、プラスチックスリーブを回転することで、アウタースリーブを上下移動させ、アウタースリーブが上向きに移動すると、２つのスリーブ間の間隙が増大し、電流が&#20943;少して出水温度が低下する。また、アウタースリーブが下向きに移動すると、２つのスリーブ間の間隙が&#20943;小し、電流が増大して、出水温度が上昇する。
【００１６】
以上をまとめると、本発明は構造が簡単で、設計が合理的であるのみならず、２つのスリーブ間の間隙を調節して電流を調節することで、水温のコントロール操作が簡便で、加熱効果が良好であり、熱効率が高く、好ましい実用性と市場での幅広い普及性を備える。
【００１７】
以上、本発明の実施形態について図面を参照して詳述したが、具体的な構成はこの実施形態に限られるものではなく、本発明の要旨を逸脱しない範囲の設計変更等も含まれる。
【符号の説明】
【００１８】
１  インナースリーブ
２  アウタースリーブ
３  絶縁入水管
４  加熱電極
５  出水孔
６  絶縁係止リング
７  プラスチックスリーブ
【図１】
0005503754.tif 000002